(57)【要約】【課題】部品点数の増加を抑制しつつ、棚板の強度を適切に確保し、かつ水栓部の取付部分を適切に止水できる洗面カウンタを提供する。【解決手段】カウンタと、凹状のボウル部と、カウンタの後端から上方に向かって延び、前方を向く立ち上がり面を有する立ち上がり部と、立ち上がり部の上端から前方に向かって延び、上面及び下面を有する棚板と、立ち上がり面に取り付けられ、ボウル部に向けて水を吐出する水栓部と、立ち上がり面に取り付けられる第１板部と、棚板の下面に取り付けられる第２板部と、を有し、棚板を支持する支持具と、を備え、立ち上がり部は、上端から下方に向かって凹む凹状の開口を有し、第１板部は、開口の前方を覆うとともに、開口の一部と対向する貫通孔を有し、水栓部は、開口及び貫通孔に挿通された状態で立ち上がり面に取り付けられ、貫通孔を塞ぐことを特徴とする洗面カウンタである。【選択図】図１
2019024529.tif 000002
【特許請求の範囲】
【請求項１】
カウンタ面を有するカウンタと、
前記カウンタに設けられ、前記カウンタ面よりも下方に凹む凹状のボウル部と、
前記カウンタの後端から上方に向かって延び、前方を向く立ち上がり面を有する立ち上がり部と、
前記立ち上がり部の上端から前方に向かって延び、上面及び下面を有する平板状の棚板と、
前記立ち上がり面に取り付けられ、前記ボウル部に向けて水を吐出する水栓部と、
前記立ち上がり面に取り付けられる第１板部と、前記棚板の前記下面に取り付けられる第２板部と、を有し、前記棚板を支持する支持具と、
を備え、
前記立ち上がり部は、上端から下方に向かって凹む凹状の開口を有し、
前記第１板部は、前記開口の前方を覆うとともに、前記開口の一部と対向する貫通孔を有し、
前記水栓部は、前記開口及び前記貫通孔に挿通された状態で前記立ち上がり面に取り付けられ、前記貫通孔を塞ぐことを特徴とする洗面カウンタ。
【請求項２】
前記棚板は、前記下面から下方に突出した凸部を有し、
前記第２板部は、前記下面に取り付けられた状態で前記凸部を入り込ませるための凹部を有し、前記凸部及び前記凹部に対して下方から接合部材を挿通することにより、前記下面に取り付けられることを特徴とする請求項１記載の洗面カウンタ。
【請求項３】
前記水栓部は、２つ設けられ、
前記立ち上がり部は、左右方向に並ぶ２つの前記開口を有し、
前記第１板部は、前記２つの開口に対応する２つの前記貫通孔を有し、
前記凸部及び前記凹部は、前記２つの水栓部の間に設けられていることを特徴とする請求項２記載の洗面カウンタ。
【発明の詳細な説明】
【技術分野】
【０００１】
本発明の態様は、一般的に、洗面カウンタに関する。
【背景技術】
【０００２】
洗面カウンタにおいて、カウンタの後端から上方に向かって延びる立ち上がり部を設けるとともに、立ち上がり部の上端から前方に突き出る棚板を設けることにより、十分な広さの手洗い空間を確保しつつ、十分な広さの荷物置きの空間も確保できるようにすることが提案されている。こうした洗面カウンタにおいては、上方からの荷重によって棚板が撓んだり、破損したりしないよう、棚板の強度を確保する必要がある。
【０００３】
一方で、水を吐出する水栓部は、立ち上がり部に開口を設け、この開口に挿通した状態で立ち上がり部に取り付けられる。この際、棚板と水栓部との間の上下方向の距離が離れていると、棚板が過度に高くなって荷物などを置き難くなったり、反対に水栓部が下がり過ぎ、手洗い空間が狭くなったりしてしまう。従って、棚板を適切な高さに設定しつつ、なるべく広い手洗い空間を確保するためには、水栓部を立ち上がり部の上端付近に配置し、水栓部と棚板とを近付ける必要がある。
【０００４】
水栓部を立ち上がり部の上端付近に配置する際に、貫通孔状の開口に水栓部を挿通して取り付けると、開口から立ち上がり部の上端までの部分の肉厚が薄くなり、水栓部に外力が加わった際などに、開口上方の薄肉の部分が破損してしまう可能性がある。
【０００５】
このため、立ち上がり部の上端から下方に凹む凹状の開口に、水栓部を挿通して取り付けることも提案されている。すなわち、破損する可能性のある薄肉の部分を取り除いた形状に開口を形成することが提案されている。
【０００６】
しかしながら、凹状の開口に水栓部を取り付けると、取り付け後に水栓部の上方に隙間が生じてしまう。すなわち、取り除いた薄肉の部分が、隙間となって表れてしまう。このため、立ち上がり部の後方の空間への水の浸入を抑制することが難しくなってしまう。また、棚板の強度を確保するための部材や、水栓部の取付部分を止水するための部材などを個別に用意すると、部品点数が増加し、構成が複雑になってしまう。
【０００７】
このため、立ち上がり部の上端に棚板を設ける洗面カウンタでは、立ち上がり部の上端から下方に凹む凹状の開口に水栓部を取り付ける場合にも、部品点数の増加を抑制しつつ、棚板の強度を適切に確保し、かつ水栓部の取付部分を適切に止水できるようにすることが望まれる。
【先行技術文献】
【特許文献】
【０００８】
【特許文献１】特開２０１３−２２０３０号公報
【発明の概要】
【発明が解決しようとする課題】
【０００９】
本発明は、かかる課題の認識に基づいてなされたものであり、立ち上がり部の上端に棚板を設け、立ち上がり部の上端から下方に凹む凹状の開口に水栓部を取り付ける場合にも、部品点数の増加を抑制しつつ、棚板の強度を適切に確保し、かつ水栓部の取付部分を適切に止水できる洗面カウンタを提供することを目的とする。
【課題を解決するための手段】
【００１０】
第１の発明は、カウンタ面を有するカウンタと、前記カウンタに設けられ、前記カウンタ面よりも下方に凹む凹状のボウル部と、前記カウンタの後端から上方に向かって延び、前方を向く立ち上がり面を有する立ち上がり部と、前記立ち上がり部の上端から前方に向かって延び、上面及び下面を有する平板状の棚板と、前記立ち上がり面に取り付けられ、前記ボウル部に向けて水を吐出する水栓部と、前記立ち上がり面に取り付けられる第１板部と、前記棚板の前記下面に取り付けられる第２板部と、を有し、前記棚板を支持する支持具と、を備え、前記立ち上がり部は、上端から下方に向かって凹む凹状の開口を有し、前記第１板部は、前記開口の前方を覆うとともに、前記開口の一部と対向する貫通孔を有し、前記水栓部は、前記開口及び前記貫通孔に挿通された状態で前記立ち上がり面に取り付けられ、前記貫通孔を塞ぐことを特徴とする洗面カウンタである。
【００１１】
この洗面カウンタによれば、棚板を支持する支持具を設けることにより、棚板の強度を確保することができる。そして、支持具の第１板部で開口の前方を覆い、第１板部に設けられた貫通孔を水栓部で塞ぐことにより、立ち上がり部の上端から下方に凹む凹状の開口に水栓部を取り付ける場合にも、水栓部の取付部分を止水することができる。このように、１つの支持具で棚板の強度の確保と、水栓部の取付部の止水とを両立させることができる。従って、部品点数の増加を抑制しつつ、棚板の強度を適切に確保し、かつ水栓部の取付部分を適切に止水できる洗面カウンタを提供することができる。
【００１２】
第２の発明は、第１の発明において、前記棚板は、前記下面から下方に突出した凸部を有し、前記第２板部は、前記下面に取り付けられた状態で前記凸部を入り込ませるための凹部を有し、前記凸部及び前記凹部に対して下方から接合部材を挿通することにより、前記下面に取り付けられることを特徴とする洗面カウンタである。
【００１３】
この洗面カウンタによれば、接合部材を凸部に挿通することで、平板状の棚板本体に接合部材を挿通する場合と比べて、接合部材を挿通し易くすることができる。例えば、接合部材の挿通にともなう棚板本体の破損などを抑制することができる。
【００１４】
また、例えば、接合部材（例えばネジ）と接合する被接合部材（例えばインサートナット）を棚板に設ける場合がある。平板状の棚板本体に被接合部材を設けると、水栓部などの取付位置の異なる複数の製品が存在する場合に、製品毎に被接合部材を棚板本体に逐一取り付けなければならず、棚板本体の製造に手間がかかってしまう。これに対して、凸部に被接合部材を設け、凸部を棚板本体に接着などで取り付けるようにすることにより、水栓部などの取付位置の異なる複数の製品が存在する場合にも、棚板の製造を用意にすることができる。例えば、棚板本体を複数の製品に共通に用いることができ、棚板の製造コストを抑えることができる。
【００１５】
第３の発明は、第２の発明において、前記水栓部は、２つ設けられ、前記立ち上がり部は、左右方向に並ぶ２つの前記開口を有し、前記第１板部は、前記２つの開口に対応する２つの前記貫通孔を有し、前記凸部及び前記凹部は、前記２つの水栓部の間に設けられていることを特徴とする洗面カウンタである。
【００１６】
この洗面カウンタによれば、１つの凹部及び凸部で２つの水栓部の取り付けを行うことができ、部品点数の増加や支持具の大型化などを抑制することができる。
【発明の効果】
【００１７】
本発明の態様によれば、立ち上がり部の上端に棚板を設け、立ち上がり部の上端から下方に凹む凹状の開口に水栓部を取り付ける場合にも、部品点数の増加を抑制しつつ、棚板の強度を適切に確保し、かつ水栓部の取付部分を適切に止水できる洗面カウンタが提供される。
【図面の簡単な説明】
【００１８】
【図１】実施形態に係る洗面カウンタを表す斜視図である。
【図２】実施形態に係る洗面カウンタの一部を拡大して表す部分斜視図である。
【図３】実施形態に係る洗面カウンタの一部を拡大して表す部分斜視図である。
【図４】実施形態に係る洗面カウンタの一部を拡大して表す分解斜視図である。
【図５】実施形態に係る洗面カウンタの一部を拡大して表す部分断面図である。
【図６】実施形態に係る洗面カウンタの一部を拡大して表す部分断面図である。
【図７】実施形態に係る支持具を表す背面図である。
【図８】実施形態に係る洗面カウンタの変形例を表す部分断面図である。
【発明を実施するための形態】
【００１９】
以下、本発明の実施の形態について図面を参照しつつ説明する。なお、各図面中、同様の構成要素には同一の符号を付して詳細な説明は適宜省略する。  
図１は、実施形態に係る洗面カウンタを表す斜視図である。  
図２及び図３は、実施形態に係る洗面カウンタの一部を拡大して表す部分斜視図である。  
図１〜図３に表したように、洗面カウンタ１０は、カウンタ１２と、ボウル部１４と、立ち上がり部１６と、棚板１８と、第１水栓部２１と、第２水栓部２２と、支持具２４と、カバー２６と、を備えている。
【００２０】
図１は、洗面カウンタ１０を斜め上方から見た状態を表している。図２は、洗面カウンタ１０の第１水栓部２１、第２水栓部２２、及びカバー２６の設けられた部分を斜め下方から見た状態を表している。図３は、図２と実質的に同じ視点において、カバー２６を取り外した状態を表している。
【００２１】
カウンタ１２は、カウンタ面１２ａを有する。カウンタ面１２ａは、上方を向き、荷物などの載置を可能にする。カウンタ面１２ａは、換言すれば、カウンタ１２の上面である。カウンタ面１２ａは、例えば、水平面である。カウンタ面１２ａは、荷物などを載置可能な程度の傾きを有していてもよい。また、カウンタ面１２ａは、例えば、荷物などを載置可能な程度の凹凸や反り（曲面状の部分）などを有していてもよい。
【００２２】
ボウル部１４は、カウンタ１２に設けられ、カウンタ面１２ａよりも下方に凹む凹状である。ボウル部１４は、例えば、凹状のボウル面１４ａと、ボウル面１４ａの底部に設けられた排水口１４ｂと、を有する。排水口１４ｂは、下方において図示省略した排水管と接続され、ボウル面１４ａに吐出された水を排水管に流す。ボウル部１４は、例えば、排水口１４ｂを開閉する排水栓や、ボウル面１４ａからの水の溢れを抑制するオーバーフロー口などを有していてもよい。
【００２３】
立ち上がり部１６は、カウンタ１２の後端から上方に向かって延びる。立ち上がり部１６の左右方向の幅は、例えば、カウンタ１２の左右方向の幅と実質的に同じである。換言すれば、立ち上がり部１６は、カウンタ１２の後端全体から上方に向かって延びる。但し、立ち上がり部１６の左右方向の幅は、カウンタ１２の左右方向の幅と異なってもよい。
【００２４】
立ち上がり部１６は、前方を向く立ち上がり面１６ａを有する。立ち上がり面１６ａは、換言すれば、立ち上がり部１６の前面である。立ち上がり面１６ａは、例えば、垂直面である。但し、立ち上がり面１６ａは、垂直面に限ることなく、傾斜していてもよいし、凹凸や反りなどを有していてもよい。
【００２５】
棚板１８は、立ち上がり部１６の上端から前方に向かって延びる。棚板１８は、例えば、立ち上がり部１６の上端を覆う。棚板１８の左右方向の幅は、例えば、カウンタ１２の左右方向の幅、及び立ち上がり部１６の左右方向の幅と実質的に同じである。棚板１８は、例えば、立ち上がり部１６の上端全体を覆う。但し、棚板１８の左右方向の幅は、カウンタ１２の左右方向の幅、及び立ち上がり部１６の左右方向の幅と異なってもよい。
【００２６】
棚板１８は、上面１８ａと下面１８ｂとを有する。上面１８ａは、上方を向き、荷物などの載置を可能にする。上面１８ａは、例えば、水平面である。上面１８ａは、荷物などを載置可能な程度の傾きを有していてもよい。また、上面１８ａは、例えば、荷物などを載置可能な程度の凹凸や反りなどを有していてもよい。
【００２７】
下面１８ｂは、下方を向き、カウンタ面１２ａ及びボウル面１４ａと対向する。下面１８ｂは、例えば、上面１８ａと略平行である。棚板１８は、例えば、略矩形の平板状である。但し、下面１８ｂは、上面１８ａと非平行でもよい。下面１８ｂは、凹凸や反りなどを有していてもよい。
【００２８】
第１水栓部２１は、立ち上がり部１６の立ち上がり面１６ａに取り付けられる。第１水栓部２１は、ボウル部１４に向けて水を吐出する吐水口２１ａを有する。第１水栓部２１の吐出する水は、例えば、手洗いなどを行うための洗浄水である。洗浄水は、例えば、水道水や地下水などである。また、洗浄水は、給水源から供給されたままの水でもよいし、加熱されたお湯でもよい。
【００２９】
第２水栓部２２は、立ち上がり部１６の立ち上がり面１６ａに取り付けられる。第２水栓部２２は、立ち上がり面１６ａにおいて第１水栓部２１と左右方向に並べて設けられる。第２水栓部２２は、ボウル部１４に向けて水を吐出する吐水口２２ａを有する。第２水栓部２２の吐出する水は、例えば、石鹸水である。このように、第１水栓部２１及び第２水栓部２２の吐出する水は、水やお湯でもよいし、石鹸水などでもよい。また、石鹸水は、液状でもよいし、泡状でもよい。
【００３０】
洗面カウンタ１０は、第１水栓部２１及び第２水栓部２２の２つの水栓部を有している。洗面カウンタ１０に設けられる水栓部の数は、１つでもよいし、３つ以上でもよい。例えば、洗面カウンタ１０が公共施設などに設置される場合などに、複数の水栓部を設けることにより、複数の使用者が同時に手洗いなどをできるようにしてもよい。
【００３１】
第１水栓部２１及び第２水栓部２２は、使用者の手などの対象物を検出するためのセンサ部２１ｂ、２２ｂを有する。センサ部２１ｂ、２２ｂは、使用者の手などの対象物の検出を行い、検出結果を外部のコントローラなどに出力する。コントローラは、センサ部２１ｂ、２２ｂによる対象物の検出に応じて、電磁弁などを開閉することにより、吐水口２１ａ、２２ａから水を吐出する。このように、第１水栓部２１及び第２水栓部２２は、手などを差し出すだけで水が吐出される、いわゆる自動水栓として用いられる。センサ部２１ｂ、２２ｂは、例えば、赤外線を照射し、対象物からの反射波を受光して対象物の有無を検出する赤外線センサである。センサ部２１ｂ、２２ｂは、赤外線センサに限ることなく、使用者の手などの対象物を検出可能な任意のセンサでよい。第１水栓部２１及び第２水栓部２２は、自動水栓に限ることなく、ハンドルやレバーなどの操作に応じて吐止水を切り替える手動式の水栓でもよい。センサ部２１ｂ、２２ｂは、必要に応じて設けられ、省略可能である。
【００３２】
支持具２４は、第１板部３１と、第２板部３２と、を有する。第１板部３１は、立ち上がり部１６の立ち上がり面１６ａに取り付けられる。第１板部３１は、例えば、ネジ止めによって立ち上がり面１６ａに取り付けられる。第１板部３１は、例えば、立ち上がり面１６ａに接する。
【００３３】
第２板部３２は、棚板１８の下面１８ｂに取り付けられる。第２板部３２は、例えば、ネジ止めによって下面１８ｂに取り付けられる。第２板部３２は、例えば、下面１８ｂに接する。
【００３４】
支持具２４は、略Ｌ字の板状である。支持具２４は、例えば、略Ｌ字の金属板である。このように、支持具２４は、立ち上がり部１６の立ち上がり面１６ａと棚板１８の下面１８ｂとを接続することにより、棚板１８を支持する。これにより、例えば、棚板１８に上方から加わる荷重に対しての強度を高めることができる。換言すれば、支持具２４は、棚板１８を補強する。
【００３５】
カバー２６は、第１水栓部２１、第２水栓部２２、及び支持具２４のそれぞれの前方、両側方、及び下方を覆う。これにより、カバー２６は、立ち上がり部１６及び棚板１８とともに、これらの部材の前後左右上下の各方向からの視認を抑制する。これにより、洗面カウンタ１０の意匠性を向上させることができる。
【００３６】
カバー２６は、例えば、ネジ止めなどにより、支持具２４に下方から取り付けられる。カバー２６は、例えば、立ち上がり部１６の立ち上がり面１６ａに取り付けてもよい。
【００３７】
図４は、実施形態に係る洗面カウンタの一部を拡大して表す分解斜視図である。  
図４に表したように、立ち上がり部１６は、上端から下方に向かって凹む凹状の開口１６ｂを有する。この例において、立ち上がり部１６は、左右方向に並ぶ２つの開口１６ｂを有する。各開口１６ｂは、第１水栓部２１及び第２水栓部２２の２つの水栓部のそれぞれに対応して設けられる。
【００３８】
第１板部３１は、開口１６ｂの前方を覆うとともに、開口１６ｂの一部と対向する貫通孔３１ａを有する。この例において、第１板部３１は、２つの開口１６ｂのそれぞれの前方を覆う。第１板部３１は、２つの開口１６ｂに対応する２つの貫通孔３１ａを有する。
【００３９】
図５は、実施形態に係る洗面カウンタの一部を拡大して表す部分断面図である。  
図５に表したように、第１水栓部２１は、開口１６ｂ及び貫通孔３１ａに挿通された状態で立ち上がり面１６ａに取り付けられ、貫通孔３１ａを塞ぐ。このように、洗面カウンタ１０では、立ち上がり部１６に設けられた開口１６ｂが、第１板部３１によって塞がれ、第１板部３１に設けられた貫通孔３１ａが、第１水栓部２１によって塞がれる。これにより、上端から下方に向かって凹む凹状の開口１６ｂを設けた場合においても、第１水栓部２１の取付部分を適切に止水することができる。
【００４０】
第１水栓部２１は、例えば、本体部４０と、接続部材４１、４２と、ネジ４３と、を有する。本体部４０は、例えば、筒状である。吐水口２１ａやセンサ部２１ｂなどは、本体部４０に設けられる。
【００４１】
接続部材４１は、外周にネジが設けられた円筒部４１ａと、円筒部４１ａよりも径を広げたフランジ部４１ｂと、を有する。円筒部４１ａの外径は、開口１６ｂの左右方向の幅と実質的に同じである。また、円筒部４１ａの長さは、開口部１６ｂの長さよりも長い。開口部１６ｂの長さは、換言すれば、立ち上がり部１６の開口部１６ｂが設けられた部分の板厚である。接続部材４１は、円筒部４１ａを開口部１６ｂに挿通し、フランジ部４１ｂを立ち上がり部１６の裏面に係合させた状態で、立ち上がり部１６に取り付けられる。
【００４２】
接続部材４２は、内周にネジが設けられたリング状である。接続部材４２の内径は、接続部材４１の円筒部４１ａの外径と実質的に同じである。接続部材４２は、円筒部４１ａの外周に設けられたネジと螺合する。
【００４３】
接続部材４１及び接続部材４２は、互いに螺合し、立ち上がり部１６と支持具２４の第１板部３１とを間に挟み込むことにより、立ち上がり部１６に取り付けられる。また、接続部材４２の外径は、貫通孔３１ａの径よりも大きい。これにより、接続部材４１、４２で第１板部３１を挟むことにより、貫通孔３１ａが、接続部材４２によって塞がれる。
【００４４】
本体部４０の後端側の内径は、接続部材４２の外径と実質的に同じである。本体部４０の後端は、接続部材４２の外側に嵌る。接続部材４２の外周には、Ｖ字状の溝４２ａが設けられている。ネジ４３の先端部は、溝４２ａに対応した円錐状に形成されている。ネジ４３は、本体部４０の後端部分に下方から取り付けられ、先端部分を溝４２ａ内に入り込ませる。このように、ネジ４３は、溝４２ａとの係合により、本体部４０の接続部材４２からの抜けを抑制する。これにより、第１水栓部２１が、立ち上がり面１６ａに取り付けられる。接続部材４１、４２には、例えば、吐水口２１ａに水を供給するための配管４４や、センサ部２１ｂとの電気的な接続を得るための配線などが挿通される。なお、第２水栓部２２の構成は、第１水栓部２１の構成と実質的に同じであるから、詳細な説明は省略する。
【００４５】
図６は、実施形態に係る洗面カウンタの一部を拡大して表す部分断面図である。  
図６に表したように、棚板１８は、上面１８ａ及び下面１８ｂを有する平板状の棚板本体１８ｍと、棚板本体１８ｍの下面１８ｂから下方に突出した凸部１８ｐと、を有する。凸部１８ｐは、例えば、棚板本体１８ｍと別体に設けられ、接着などにより、下面１８ｂに略一体に取り付けられる。凸部１８ｐは、棚板本体１８ｍと一体に成形してもよい。棚板本体１８ｍ及び凸部１８ｐには、例えば、人工大理石が用いられる。凸部１８ｐの材料は、棚板本体１８ｍの材料と異なってもよい。凸部１８ｐには、例えば、金属材料など、人口大理石よりも加工のし易い材料を用いてもよい。
【００４６】
第２板部３２は、下面１８ｂに取り付けられた状態で凸部１８ｐを入り込ませるための凹部３２ａを有する。第２板部３２は、凸部１８ｐ及び凹部３２ａに対して下方から接合部材３４を挿通することにより、下面１８ｂに取り付けられる。
【００４７】
凸部１８ｐには、例えば、接合部材３４と接合される被接合部材１８ｎが設けられる。接合部材３４は、例えば、ネジである。被接合部材１８ｎは、例えば、インサートナットである。凸部１８ｐに人口大理石を用いる場合、被接合部材１８ｎは、例えば、埋め込み成形によって凸部１８ｐに設けられる。
【００４８】
凸部１８ｐ及び凹部３２ａは、第１水栓部２１と第２水栓部２２との間に設けられている。換言すれば、凸部１８ｐ及び凹部３２ａは、２つの開口１６ｂの間、及び２つの貫通孔３１ａの間に設けられている。
【００４９】
凹部３２ａは、前後方向に延びる。凹部３２ａは、例えば、前後方向に延び、第１板部３１と接続されている。換言すれば、凹部３２ａの少なくとも一部は、第１板部３１と一体に形成されている。これにより、例えば、第２板部３２を平板状に形成した場合と比べて、支持具２４の強度をより高めることができる。
【００５０】
図７は、実施形態に係る支持具を表す背面図である。  
図５及び図７に表したように、第１板部３１と立ち上がり面１６ａとの間には、パッキン３６が設けられる。パッキン３６は、例えば、第１板部３１の背面３１ｂ（立ち上がり面１６ａと対向する面）に接着して取り付けられる。パッキン３６は、例えば、立ち上がり部１６の開口１６ｂの外縁を囲むように設けられる。換言すれば、パッキン３６は、開口１６ｂの側方及び下方を塞ぐように設けられる。これにより、第１板部３１と立ち上がり面１６ａとの間の隙間から開口１６ｂに水が浸入してしまうことを、より確実に抑制することができる。パッキン３６は、例えば、２つの開口１６ｂのそれぞれの外縁を囲む。これに限ることなく、２つの開口１６ｂのそれぞれに対応する２つのパッキン３６を設けてもよい。
【００５１】
以上、説明したように、本実施形態に係る洗面カウンタ１０では、棚板１８を支持する支持具２４を設けることにより、棚板１８の強度を確保することができる。そして、支持具２４の第１板部３１で開口１６ｂの前方を覆い、第１板部３１に設けられた貫通孔３１ａを第１水栓部２１、第２水栓部２２で塞ぐことにより、立ち上がり部１６の上端から下方に凹む凹状の開口１６ｂに第１水栓部２１、第２水栓部２２を取り付ける場合にも、第１水栓部２１、第２水栓部２２の取付部分を止水することができる。このように、１つの支持具２４で棚板１８の強度の確保と、第１水栓部２１、第２水栓部２２の取付部の止水とを両立させることができる。従って、部品点数の増加を抑制しつつ、棚板１８の強度を適切に確保し、かつ第１水栓部２１、第２水栓部２２の取付部分を適切に止水できる洗面カウンタ１０を提供することができる。
【００５２】
また、洗面カウンタ１０では、接合部材３４を凸部１８ｐに挿通することで、平板状の棚板本体１８ｍに接合部材３４を挿通する場合と比べて、接合部材３４を挿通し易くすることができる。例えば、接合部材３４の挿通にともなう棚板本体１８ｍの破損などを抑制することができる。
【００５３】
また、平板状の棚板本体１８ｍに被接合部材１８ｎを設けると、第１水栓部２１、第２水栓部２２などの取付位置の異なる複数の製品が存在する場合に、製品毎に被接合部材１８ｎを棚板本体１８ｍに逐一取り付けなければならず、棚板本体１８ｍの製造に手間がかかってしまう。これに対して、凸部１８ｐに被接合部材１８ｎを設け、凸部１８ｐを棚板本体１８ｍに接着などで取り付けるようにすることにより、第１水栓部２１、第２水栓部２２などの取付位置の異なる複数の製品が存在する場合にも、棚板１８の製造を用意にすることができる。例えば、棚板本体１８ｍを複数の製品に共通に用いることができ、棚板１８の製造コストを抑えることができる。
【００５４】
また、洗面カウンタ１０では、凸部１８ｐ及び凹部３２ａを、第１水栓部２１と第２水栓部２２との間に設けている。これにより、１つの凹部３２ａ及び凸部１８ｐで第１水栓部２１及び第２水栓部２２の２つの水栓部の取り付けを行うことができ、部品点数の増加や支持具２４の大型化などを抑制することができる。
【００５５】
図８は、実施形態に係る洗面カウンタの変形例を表す部分断面図である。  
上記実施形態では、第１水栓部２１及び第２水栓部２２の２つの水栓部を立ち上がり面１６ａに取り付けた例を示している。これに限ることなく、図８に表したように、１つの水栓部２０を立ち上がり面１６ａに取り付ける場合に、上記の構成を採用してもよい。水栓部２０の数は、１つ又は２つに限ることなく、任意の数でよい。
【００５６】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、洗面カウンタ１０が備える各要素の形状、寸法、材質、配置などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００５７】
１０ 洗面カウンタ、  １２ カウンタ、  １４ ボウル部、  １６ 立ち上がり部、  １８ 棚板、  ２０ 水栓部、  ２１ 第１水栓部、  ２２ 第２水栓部、  ２４ 支持具、  ２６ カバー、  ３１ 第１板部、  ３２ 第２板部、  ３４ 接合部材、  ３６ パッキン、  ４０ 本体部、  ４１、４２ 接続部材、  ４３ ネジ、  ４４ 配管
【図１】
2019024529.tif 000003
【図２】
2019024529.tif 000004
【図３】
2019024529.tif 000005
【図４】
2019024529.tif 000006
【図５】
2019024529.tif 000007
【図６】
2019024529.tif 000008
【図７】
2019024529.tif 000009
【図８】
2019024529.tif 000010